(57)【要約】      （修正有）【課題】室内の空気の流れを妨げる事態を抑制しつつ、トレイを支持することが可能な冷温蔵装置を提供する。【解決手段】トレイ２５は、２つの単位仕切壁３１の間に形成された隙間を通じて冷蔵室１７及び温蔵室１８の双方に亘って配される構成とされ、単位仕切壁３１には、単位仕切壁３１の上面と共にトレイ２５を支持することが可能な長手状をなす一対の支持アーム７１，７２が設けられ、一対の支持アーム７１，７２のうち、一方の支持アーム７２は、単位仕切壁３１から冷蔵室１７に向かって延びると共に、単位仕切壁３１の長手方向における一方に向かうにつれて単位仕切壁３１から遠ざかる形で延びており、一対の支持アーム７１，７２のうち、他方の支持アーム７１は、単位仕切壁３１から温蔵室１８に向かって延びると共に、単位仕切壁３１の長手方向における一方に向かうにつれて、単位仕切壁３１から遠ざかる形で延びていることに特徴を有する。【選択図】図３
2017079928.tif 000002
【特許請求の範囲】
【請求項１】
トレイを収容可能な貯蔵室を有する断熱箱と、
前記貯蔵室内に設けられ、前記貯蔵室内を冷蔵室と温蔵室とに仕切る仕切壁と、を備え、
前記仕切壁は、上下方向に配列される２つの壁部を少なくとも備え、
前記２つの壁部は、それぞれ長手状をなすものとされ、
前記トレイは、前記２つの壁部の間に形成された隙間を通じて前記冷蔵室及び前記温蔵室の双方に亘って配される構成とされ、
前記２つの壁部のうち、下側に配される下側壁部には、前記下側壁部の上面と共に前記トレイを支持することが可能な長手状をなす一対の支持アームが設けられ、
前記隙間は、前記２つの壁部の長手方向に沿って延びるものとされ、
前記一対の支持アームのうち、一方の支持アームは、前記下側壁部から前記冷蔵室に向かって延びると共に、前記下側壁部の長手方向における一方に向かうにつれて前記下側壁部から遠ざかる形で延びており、
前記一対の支持アームのうち、他方の支持アームは、前記下側壁部から前記温蔵室に向かって延びると共に、前記下側壁部の長手方向における一方に向かうにつれて前記下側壁部から遠ざかる形で延びている冷温蔵装置。
【請求項２】
前記一対の支持アームの各々は、前記下側壁部と前記貯蔵室の内面とを連結する構成である請求項１に記載の冷温蔵装置。
【請求項３】
前記一対の支持アームの各々は、前記下側壁部から遠ざかるにつれて下降傾斜する構成である請求項１又は請求項２に記載の冷温蔵装置。
【請求項４】
前記一対の支持アームの各々は、前記下側壁部から遠ざかるにつれて上昇傾斜する構成である請求項１又は請求項２に記載の冷温蔵装置。
【請求項５】
前記一対の支持アームの各々は、前記下側壁部に対して着脱可能に取り付けられると共に、前記支持アームの上面が前記下側壁部の上面と同じ高さに配される上側取付位置と、前記支持アームの上面が前記下側壁部の上面よりも低い位置に配される下側取付位置との間で取付位置を変更可能な構成である請求項１又は請求項２に記載の冷温蔵装置。
【発明の詳細な説明】
【技術分野】
【０００１】
本発明は、冷温蔵装置に関する。
【背景技術】
【０００２】
従来、冷蔵室と温蔵室を備えた冷温蔵装置として、下記特許文献１に記載のものが知られている。特許文献１のものでは、冷蔵室と温蔵室とを仕切る仕切壁を備えている。また、トレイは、仕切壁を跨ぐ形で冷蔵室と温蔵室の双方に亘って配されている。
【先行技術文献】
【特許文献】
【０００３】
【特許文献１】特開２０１４−５４５２２号公報
【発明の概要】
【発明が解決しようとする課題】
【０００４】
上記構成においては、仕切壁とは別にトレイを支持する支持部材が設けられる。このような支持部材は、面積が大きい程、トレイを安定して支持することができる。しかしながら、このような支持部材は、貯蔵室内の空気（冷気又は暖気）の流れを妨げる虞があり、室内の温度が不均一となる事態が懸念される。特に、支持部材の面積を大きくするとより空気の流れが妨げられやすい。
【０００５】
本発明は上記のような事情に基づいて完成されたものであって、貯蔵室内の空気の流れを妨げる事態を抑制しつつ、トレイを支持することが可能な冷温蔵装置を提供することを目的とする。
【課題を解決するための手段】
【０００６】
上記課題を解決するために、本発明の冷温蔵装置は、トレイを収容可能な貯蔵室を有する断熱箱と、前記貯蔵室内に設けられ、前記貯蔵室内を冷蔵室と温蔵室とに仕切る仕切壁と、を備え、前記仕切壁は、上下方向に配列される２つの壁部を少なくとも備え、前記２つの壁部は、それぞれ長手状をなすものとされ、前記トレイは、前記２つの壁部の間に形成された隙間を通じて前記冷蔵室及び前記温蔵室の双方に亘って配される構成とされ、前記２つの壁部のうち、下側に配される下側壁部には、前記下側壁部の上面と共に前記トレイを支持することが可能な長手状をなす一対の支持アームが設けられ、前記隙間は、前記２つの壁部の長手方向に沿って延びるものとされ、前記一対の支持アームのうち、一方の支持アームは、前記下側壁部から前記冷蔵室に向かって延びると共に、前記下側壁部の長手方向における一方に向かうにつれて前記下側壁部から遠ざかる形で延びており、前記一対の支持アームのうち、他方の支持アームは、前記下側壁部から前記温蔵室に向かって延びると共に、前記下側壁部の長手方向における一方に向かうにつれて、前記下側壁部から遠ざかる形で延びていることに特徴を有する。
【０００７】
上記構成によれば、一対の支持アームと下側壁部の上面でトレイを支持することができる。一対の支持アームは長手状をなしているため、例えば正方形状をなす支持部材を用いる構成と比べて、その面積を小さくすることができる。この結果、貯蔵室内の空気の流れをより円滑なものとすることができる。また、一対の支持アームは、下側壁部の長手方向における一方に向かうにつれて、下側壁部から遠ざかる形で延びている。これにより、支持アームが下側壁部の長手方向に対して直交する構成と比べて、トレイを下側壁部の長手方向に沿ってスライド移動させる際に、より広範囲に亘って一対の支持アームでトレイを支持することができる。このため、より安定した状態でトレイを隙間に差し入れることができる。
【０００８】
また、前記一対の支持アームの各々は、前記下側壁部と前記貯蔵室の内面とを連結する構成であるものとすることができる。上記構成によれば、仕切壁を構成する壁部をより確実に固定することができ、支持アームの剛性もより高くすることができる。
【０００９】
また、前記一対の支持アームの各々は、前記下側壁部から遠ざかるにつれて下降傾斜する構成であるものとすることができる。トレイを長期間に亘って使用した場合には、トレイがわずかに反る事態が想定される。ここで、仮にトレイが上方に突出する形で湾曲した場合、トレイと下側壁部との間に隙間が生じ、その隙間を介して冷蔵室と温蔵室との間で空気が流通する事態が懸念される。上記構成では、一対の支持アームが、下側壁部から遠ざかるにつれて下降傾斜する構成となっている。このようにすれば、トレイが上方に突出する形で湾曲した場合において、トレイと下側壁部との間に隙間が生じる事態を抑制できる。
【００１０】
また、前記一対の支持アームの各々は、前記下側壁部から遠ざかるにつれて上昇傾斜する構成であるものとすることができる。トレイを長期間に亘って使用した場合には、トレイがわずかに反る事態が想定される。ここで、仮にトレイが下方に突出する形で湾曲した場合、下側壁部とトレイのみが当接し、トレイの支持が不安定となる事態が懸念される。上記構成では、一対の支持アームが、下側壁部から遠ざかるにつれて上昇傾斜する構成となっている。このようにすれば、トレイが下方に突出する形で湾曲した場合において、下側壁部、及び一対の支持アームの３箇所でトレイを支持することができる。
【００１１】
また、前記一対の支持アームの各々は、前記下側壁部に対して着脱可能に取り付けられると共に、前記支持アームの上面が前記下側壁部の上面と同じ高さに配される上側取付位置と、前記支持アームの上面が前記下側壁部の上面よりも低い位置に配される下側取付位置との間で取付位置を変更可能な構成であるものとすることができる。
【００１２】
上記構成では、仕切壁に対して高さの異なる２つの取付位置で支持アームを取り付けることができる。この結果、底面の高さが全面に亘って均一である形状のトレイと、底面の一部が下側壁部の上面よりも低い位置に配される形状のトレイとを適宜使い分けることができる。
【発明の効果】
【００１３】
本発明によれば、貯蔵室内の空気の流れを妨げる事態を抑制しつつ、トレイを支持することが可能な冷温蔵装置を提供する。
【図面の簡単な説明】
【００１４】
【図１】本発明の実施形態１に係る温冷配膳車を示す斜視図
【図２】図１の温冷配膳車を示す正面図
【図３】貯蔵室内を示す平面図
【図４】貯蔵室内を示す正面図
【図５】仕切壁を示す側面図
【図６】トレイを貯蔵室内に挿入する過程を示す平面図
【図７】トレイを単位仕切壁上で移動させる過程を示す平面図
【図８】実施形態２に係る支持アームを示す正面図
【図９】実施形態２の比較例を示す正面図
【図１０】実施形態３に係る支持アームを示す正面図
【図１１】実施形態４に係る支持アームを示す正面図
【図１２】実施形態５に係る支持アームを示す正面図（上側取付位置にある状態）
【図１３】実施形態５に係る支持アームを示す正面図（下側取付位置にある状態）
【図１４】実施形態５に係る支持アームを示す斜視図
【図１５】支持アームの変形例を示す斜視図
【図１６】支持アームの取付構造の変形例を示す正面図
【発明を実施するための形態】
【００１５】
＜実施形態１＞
本発明の実施形態１を図１から図７によって説明する。本実施形態では、冷温蔵装置として、温冷配膳車１０を例示する。温冷配膳車１０は、図１及び図２に示すように、貯蔵室１６を有する断熱箱１１と、断熱箱１１の底面に取り付けられるキャスタ１２と、断熱箱１１の上方に配される機械室１３と、を備えている。断熱箱１１は、発泡ウレタン等の断熱材を充填した壁部によって構成され、全体としては、前後方向の両面が開放された直方体形状をなしている。
【００１６】
図２に示すように、断熱箱１１の内部空間において、幅方向（図２の左右方向、Ｘ軸方向）の中央部には、縦フレーム１４が、前後方向（Ｙ軸方向）の両側にそれぞれ立設されている。一対の縦フレーム１４，１４の間には、中間壁１５（図３参照）が設けられている。断熱箱１１の内部空間は、中間壁１５によって左右に仕切られることで、トレイ２５を収容可能な２つの貯蔵室１６として構成されている。なお、図２では、左側の貯蔵室１６のみ図示してある。各貯蔵室１６内には、前後方向に延びる仕切壁３０（詳しくは後述）が設けられている。これにより、貯蔵室１６は、仕切壁３０によって冷蔵室１７と温蔵室１８とに仕切られている。
【００１７】
本実施形態では、２つの貯蔵室１６，１６は、中間壁１５を中心として左右対称となるように配されている。つまり、図２及び図３に示す左側の貯蔵室１６では、左側に温蔵室１８が配され、右側に冷蔵室１７が配される。一方、図３で示す右側の貯蔵室１６では、左側に冷蔵室１７が配され、右側に温蔵室１８が配される。また、断熱箱１１には、観音開き式の扉１９が各貯蔵室１６の前後方向に対応する形でそれぞれ設けられている。各冷蔵室１７，１７及び各温蔵室１８，１８は、それぞれ対応する扉１９によって開閉可能となっている。これにより、貯蔵室１６に対して前後両側からトレイ２５を出し入れすることができる。
【００１８】
中間壁１５は、例えば、一対の板状部材によって構成され、その内部を空気が流通可能となっている。これにより、中間壁１５は、冷気流通用のダクトの機能を有している。機械室１３内において、中間壁１５及び冷蔵室１７の上方となる箇所には、冷凍装置１３Ｂ（図２の破線）と、冷凍装置１３Ｂによって生成された冷気を送風する冷却用ファン１３Ｃ（図２の破線）が設置されている。なお、冷凍装置１３Ｂは、圧縮機、凝縮器、冷却器等から構成されている。
【００１９】
冷凍装置１３Ｂ及び冷却用ファン１３Ｃを駆動することで、冷却器近傍で生成された冷気が中間壁１５内（ダクト内）に吹き込まれ、中間壁１５に形成された通気口を通して左右の冷蔵室１７に吹き出される（図４の矢線Ｗ１参照）。冷蔵室１７に送られた冷気は、冷蔵室１７内を通過した後、冷蔵室１７の天井に形成された開口から冷却器側に戻る。これにより、冷蔵室１７に冷気が循環供給される。なお、冷凍装置１３Ｂの一部（例えば冷却器）や冷却用ファン１３Ｃが、例えば中間壁１５の内部に設けられていてもよい。
【００２０】
一方、温蔵室１８における仕切壁３０と反対側の側面には、加熱用のパネル２０（図４参照）が張られている。このパネル２０の裏面側にはダクトが設けられ、このダクトに沿う形でコードヒータ（図示せず）が配線されている。コードヒータは、機械室１３に配置された温蔵ユニット１３Ａ（図２の破線）から引き出されており、温蔵ユニット１３Ａには、加温用ファンが設けられている。温蔵ユニット１３Ａを駆動するとコードヒータから発せられたジュール熱でダクト内が温められる。また、温蔵ユニット１３Ａと同時に加温用ファンを駆動することで、パネル２０に形成された通気口から暖気が温蔵室１８内に吹き出される（図４の矢線Ｗ２参照）。このようにパネル２０からの輻射熱、及び通気口から吹き出される暖気により温蔵室１８内が加熱される構成となっている。
【００２１】
次に仕切壁３０の構成について詳しく説明する。なお、以下の説明では、左側の貯蔵室１６に設けられた仕切壁３０を例示して説明する。仕切壁３０は、図２及び図５に示すように、前後方向に長い長手状をなす箱型の単位仕切壁３１を、複数段に積層することで構成されている。また、単位仕切壁３１の上部には、図５に示すように、トレイストッパ５０及び２つのシャッター６０，６０が設けられ、単位仕切壁３１の下部には、２つの当接部材４１，４１が設けられている（詳しくは後述）。なお、図５では図示していないが、最上段の単位仕切壁３１には、トレイストッパ５０及び２つのシャッター６０，６０は設けられていない。そして、複数の単位仕切壁３１の間には、それぞれ隙間Ｓ１が形成されている。ここで言う隙間Ｓ１とは、上下方向に隣り合う２つの単位仕切壁３１，３１の間に形成された空間のことである。
【００２２】
隙間Ｓ１は、単位仕切壁３１の長手方向（前後方向）に沿って延びるものとされ、隙間Ｓ１を通じてトレイ２５が冷蔵室１７及び温蔵室１８の双方に亘って配されている。本実施形態では、図３に示すように、貯蔵室１６内において前後方向（仕切壁３０の延設方向及び水平方向）に沿って２枚のトレイ２５，２５が配列されている。隙間Ｓ１は、当接部材４１，トレイストッパ５０、シャッター６０といった可動部材によって塞がれている。これにより、隙間Ｓ１を通じて冷蔵室１７と温蔵室１８の間の空気が流通する事態が防止されている。隙間Ｓ１にトレイ２５を差し入れる際には、シャッター６０や当接部材４１が動くことで、トレイ２５を差し入れることが可能となっている。また、隙間Ｓ１に差し入れられたトレイ２５は、単位仕切壁３１の上面と、後述する一対の支持アーム７１，７２によって支持されている。なお、トレイ２５に対しては、上方から当接部材４１が当接する構成となっている。
【００２３】
ここで、複数の単位仕切壁３１のうち、上下方向に隣り合う２つの単位仕切壁３１，３１は、特許請求の範囲に記載の「２つの壁部」の一例である。また、上下方向に隣り合う２つの単位仕切壁３１，３１のうち、下側に配される単位仕切壁３１は、特許請求の範囲に記載の「下側壁部」の一例である。さらに、隙間Ｓ１は、特許請求の範囲に記載の「２つの壁部の間に形成された隙間」の一例である。なお、隙間Ｓ１は、具体的には、上下方向に隣り合う２つの単位仕切壁３１，３１のうち、下側に配された単位仕切壁３１の上部に設けられたトレイストッパ５０及び２つのシャッター６０，６０と、上側に配された単位仕切壁３１の下部に設けられた２つの当接部材４１，４１によって塞がれている（図５参照）。
【００２４】
上述したように、当接部材４１は、単位仕切壁３１の下部に設けられている。具体的には、当接部材４１は、その大部分が箱状をなす単位仕切壁３１の内部に収容されており、単位仕切壁３１の下面に形成された開口を通じて、当接部材４１の下端部が下方に突出する構成となっている。当接部材４１は、前後方向に長い形状をなし、単位仕切壁３１に対して上下動可能に取り付けられている。当接部材４１は、図５に示すように、トレイ２５に対応してそれぞれ設けられている。当接部材４１は、単位仕切壁３１に内蔵された弾性部材（例えば、板ばね等）によって下方に付勢されている。これにより、図５に示すように、トレイ２５の上面に対して当接部材４１が当接し、２つの単位仕切壁３１，３１間の隙間Ｓ１を塞ぐことが可能となっている。なお、当接部材４１が自重によって下方に付勢される構成としてもよい。
【００２５】
また、ストッパ部材５０は、単位仕切壁３１の上部において、前後方向の中央部に設けられている。ストッパ部材５０は、図５に示すように、その上端部が単位仕切壁３１から上方に突出する形で設けられ、ストッパ部材５０の上面は、トレイ２５の外周端部に倣う段差状をなしている。これにより、ストッパ部材５０は、図５に示すように、２つのトレイ２５，２５の間に配されることで、各トレイ２５の前後方向の位置決めを行うと共に、２つの単位仕切壁３１，３１間の隙間Ｓ１（より具体的には、隙間Ｓ１のうちトレイ２５，２５の間の部分）を塞ぐ構成となっている。また、ストッパ部材５０は、単位仕切壁３１に対して上下動可能に取り付けられており、単位仕切壁３１に内蔵された弾性部材によって上方に付勢されている。これにより、トレイ２５を前後方向にスライド移動させる際には、トレイ２５によってストッパ部材５０を押し下げることができる。
【００２６】
単位仕切壁３１の上面において、前後方向の両端部には、シャッター６０がそれぞれ設けられている。シャッター６０は前後方向においてトレイ２５の外側に配されることで、トレイ２５が隙間Ｓ１から抜ける事態を抑制すると共に、２つの単位仕切壁３１，３１間の隙間Ｓ１を塞ぐ構成となっている。シャッター６０は、単位仕切壁３１（２つの壁部のうち、下側に配される壁部）に対して回動可能に取り付けられており、トレイ２５を単位仕切壁３１，３１間（隙間Ｓ１）に出し入れする際には、トレイ２５によってシャッター６０を押し下げることができる。
【００２７】
次に支持アーム７１，７２の構成について説明する。図３に示すように、一対の支持アーム７１，７２は２枚のトレイ２５，２５に対応してそれぞれ設けられている。前側に配される一対の支持アーム７１，７２では、支持アーム７１が温蔵室１８に配され、支持アーム７２が冷蔵室１７に配されている。また、後側に配される一対の支持アーム７１，７２では、支持アーム７２が温蔵室１８に配され、支持アーム７１が冷蔵室１７に配されている。
【００２８】
図４に示すように、支持アーム７１は、水平方向に沿って延びる長手状をなすアーム本体部７１Ａと、アーム本体部７１Ａの一端部に設けられ単位仕切壁３１に取り付けられる取付部７１Ｂと、アーム本体部７１Ａの他端部に設けられ、パネル２０（又は中間壁１５）に設けられた支持ピン３４に取り付けられる取付部７１Ｃと、を備えている。また、支持アーム７２は、水平方向に沿って延びる長手状をなすアーム本体部７２Ａと、アーム本体部７２Ａの一端部に設けられ単位仕切壁３１に取り付けられる取付部７２Ｂと、アーム本体部７２Ａの他端部に設けられ、支持ピン３４に取り付けられる取付部７２Ｃと、を備えている。なお、支持アーム７１，７２は、例えばネジ止めなどによって他部材（単位仕切壁３１又は支持ピン３４）に取り付けられるが、取付構造はこれに限定されない。このように、支持アーム７１，７２の各々は、単位仕切壁３１と貯蔵室１６の内面（パネル２０の表面又は中間壁１５の表面）とを連結する構成となっている。支持ピン３４は、パネル２０（又は中間壁１５）に対して、例えばビス止めなどによって取り付けられている。
【００２９】
アーム本体部７１Ａ，７２Ａの上面は、単位仕切壁３１（下側壁部）の上面と同じ高さに配されている。これにより、トレイ２５は、単位仕切壁３１の上面と共にアーム本体部７１Ａ，７２Ａの上面によって支持される構成となっている。なお、本実施形態のトレイ２５は、その底面が全面に亘って平坦な形状をなしている。図３に示すように、前側（図３の下側）に配される支持アーム７２（一方の支持アーム）のアーム本体部７２Ａは、単位仕切壁３１から冷蔵室１７に向かって延びると共に単位仕切壁３１の前側（長手方向における一方）に向かうにつれて単位仕切壁３１から遠ざかる形で延びている。また、前側に配される支持アーム７１（他方の支持アーム）のアーム本体部７１Ａは、単位仕切壁３１から温蔵室１８に向かって延びると共に単位仕切壁３１の前側に向かうにつれて単位仕切壁３１から遠ざかる形で延びている。
【００３０】
また、後側に配される支持アーム７１のアーム本体部７１Ａは、単位仕切壁３１から冷蔵室１７に向かって延びると共に単位仕切壁３１の後側に向かうにつれて単位仕切壁３１から遠ざかる形で延びている。また、後側に配される支持アーム７２のアーム本体部７２Ａは、単位仕切壁３１から温蔵室１８に向かって延びると共に単位仕切壁３１の後側に向かうにつれて単位仕切壁３１から遠ざかる形で延びている。つまり、前側に配される一対の支持アーム７１，７２は、平面視において前側に開口するＶ字状をなしており、後側に配される一対の支持アーム７１，７２は、平面視において後側に開口するＶ字状をなしている。トレイ２５は、平面視方形状をなしており、その短辺方向が前後方向に沿う形で貯蔵室１６内に収容される。図７に示すように、前後方向に並ぶ２つの支持アーム７１，７２間の距離Ｙ１は、トレイ２５の短辺方向における長さＹ２よりも小さい値で設定されている。なお、トレイ２５の材質は、例えば合成樹脂とされるが、これに限定されない。
【００３１】
次に本実施形態の効果について説明する。本実施形態によれば、一対の支持アーム７１，７２と単位仕切壁３１の上面でトレイ２５を支持することができる。一対の支持アーム７１，７２は長手状をなしているため、例えば正方形状をなす支持部材を用いる構成と比べて、その面積を小さくすることができる。この結果、貯蔵室１６内の空気の流れをより円滑なものとすることができる。また、一対の支持アーム７１，７２は、単位仕切壁３１の長手方向における一方に向かうにつれて、単位仕切壁３１から遠ざかる形で延びている。これにより、支持アーム７１，７２が単位仕切壁３１の長手方向に対して直交する構成と比べて、トレイ２５を単位仕切壁３１の長手方向に沿ってスライド移動させる際に、より広範囲に亘って一対の支持アーム７１，７２でトレイ２５を支持することができる。このため、より安定した状態でトレイ２５を隙間Ｓ１に差し入れることができる。
【００３２】
これについて、図６及び図７の模式図を用いて具体的に説明する。図６では、隙間Ｓ１に対して前側（図６では下側）からトレイ２５を差し入れる場合を例示する。図６に示すように、トレイ２５を隙間Ｓ１に差し入れる（単位仕切壁３１上に載置する）作業の初期段階では、単位仕切壁３１の上面と、アーム本体部７１Ａ，７１Ｂの各端部によってトレイ２５が支持される。これにより、トレイ２５を３箇所で支持しつつ、図３に示す正規の位置までトレイ２５を変位させることができる。
【００３３】
また、図７に示すように、前後方向に並ぶ２つの支持アーム７１，７２間の距離Ｙ１は、トレイ２５の短辺方向における長さＹ２よりも小さい値で設定されている。このため、単位仕切壁３１の一方側（例えば前側）に配されたトレイ２５を他方側（例えば後側）に移動させる際には、前後方向に並ぶ２つの支持アーム７１，７２のうち、少なくともいずれか一方でトレイ２５を支持することができる。
【００３４】
また、本実施形態では、一対の支持アーム７１，７２の各々は、単位仕切壁３１と貯蔵室１６の内面とを連結する構成とされる。上記構成によれば、単位仕切壁３１をより確実に固定することができ、支持アーム７１，７２の剛性もより高くすることができる。また、支持アーム７１，７２を連結部材として用いることで、専用の連結部材を設ける必要がない。
【００３５】
＜実施形態２＞
次に、本発明の実施形態２を図８から図９によって説明する。本実施形態の温冷配膳車では、支持アームの構成が上記実施形態と相違する。なお、上記実施形態と同一部分には、同一符号を付して重複する説明を省略する。図８に示すように、本実施形態の支持アーム１７１，１７２は、そのアーム本体部１７１Ａ，１７２Ａが単位仕切壁３１から遠ざかるにつれて下降傾斜する構成とされる。なお、アーム本体部１７１Ａ，１７２Ａは、単位仕切壁３１側の端部が、単位仕切壁３１の上端部と同じ高さに配されている。
【００３６】
トレイ２５を長期間に亘って使用した場合には、トレイ２５がわずかに反る事態が想定される。図９の比較例に示すように、トレイ２５が上方に突出する形で湾曲した場合、トレイ２５と単位仕切壁３１との間に隙間Ｓ２が生じ、その隙間Ｓ２を介して冷蔵室１７と温蔵室１８との間で空気が流通する事態が懸念される。本実施形態では、一対の支持アーム１７１，１７２が、単位仕切壁３１から遠ざかるにつれて下降傾斜する構成となっている。このようにすれば、単位仕切壁３１の上面及びアーム本体部１７１Ａ，１７２Ａの上面から構成されるトレイ２５の支持面が正面視において上方に突出する湾曲形状となる。このため、トレイ２５が上方に突出する形で湾曲した場合において、トレイ２５と単位仕切壁３１との間に隙間が生じる事態を抑制できる。
【００３７】
＜実施形態３＞
次に、本発明の実施形態３を図１０によって説明する。本実施形態の温冷配膳車では、支持アームの構成が上記実施形態と相違する。なお、上記実施形態と同一部分には、同一符号を付して重複する説明を省略する。本実施形態の支持アーム２７１，２７２は、図１０に示すように、そのアーム本体部２７１Ａ，２７２Ａが単位仕切壁３１から遠ざかるにつれて上昇傾斜する構成とされる。なお、アーム本体部２７１Ａ，２７２Ａは、単位仕切壁３１側の端部が、単位仕切壁３１の上端部と同じ高さに配されている。
【００３８】
トレイ２５を長期間に亘って使用した場合には、トレイ２５がわずかに反る事態が想定される。ここで、仮にトレイ２５が下方に突出する形で湾曲した場合（図１０のトレイ２５参照）において、支持アームが水平方向に延びる構成では、単位仕切壁３１とトレイ２５のみが当接し易くなり、トレイ２５の支持が不安定となる事態が懸念される。本実施形態では、一対の支持アーム２７１，２７２が、単位仕切壁３１から遠ざかるにつれて上昇傾斜する構成となっている。このようにすれば、単位仕切壁３１の上面及びアーム本体部２７１Ａ，２７２Ａの上面から構成されるトレイ２５の支持面が正面視において下方に突出する湾曲形状となる。このためトレイ２５が下方に突出する形で湾曲した場合において、単位仕切壁３１、及び一対の支持アーム２７１，２７２の３箇所でトレイ２５を安定して支持することができる。
【００３９】
＜実施形態４＞
次に、本発明の実施形態４を図１１によって説明する。本実施形態の温冷配膳車では、支持アームの構成が上記実施形態と相違する。なお、上記実施形態と同一部分には、同一符号を付して重複する説明を省略する。本実施形態の支持アーム３７１，３７２は、図１１に示すように、そのアーム本体部３７１Ａ，３７２Ａが単位仕切壁３１から遠ざかるにつれて上昇傾斜する構成とされる。また、アーム本体部３７１Ａ，３７２Ａにおける単位仕切壁３１側の端部は、単位仕切壁３１の上面よりも低い位置に配されている。このような構成とすれば、平坦形状をなすトレイ２５を載置した場合において、トレイ２５と単位仕切壁３１との間に隙間Ｓ２が生じる事態をより確実に抑制することができる。また、アーム本体部３７１Ａ，３７２Ａは、単位仕切壁３１から遠ざかるにつれて上昇傾斜する構成であるから、仮にトレイ２５が下方に突出する形で湾曲した場合であっても単位仕切壁３１とアーム本体部３７１Ａ，３７２Ａの３箇所でトレイ２５を支持することができる。
【００４０】
＜実施形態５＞
次に、本発明の実施形態５を図１２から図１５によって説明する。本実施形態の温冷配膳車では、支持アーム及び単位仕切壁の構成が上記実施形態と相違する。なお、上記実施形態と同一部分には、同一符号を付して重複する説明を省略する。本実施形態の支持アーム４７２は、図１２に示すように、アーム本体部７２Ａと、単位仕切壁４３１に取り付けられる取付部４７２Ｂと、支持ピン３４に取り付けられる取付部４７２Ｃと、を備えており、後述する２つの取付位置（上側取付位置及び下側取付位置）で取付位置を変更可能となっている。
【００４１】
図１４に示すように、取付部４７２Ｂには、４つの第１取付孔４８１及び、４つの第２取付孔４８２が形成されている。第２取付孔４８２群は、第１取付孔４８１群に対して前後方向（Ｙ軸方向）にシフトされている。また、第２取付孔４８２群は、全体として、第１取付孔４８１群よりも高い位置に形成されている。取付部４７２Ｃには、下方に開口された第１取付孔４９１及び第２取付孔４９２が形成されている。第２取付孔４９２は、第１取付孔４９１よりも深さが大きいものとされる。第２取付孔４９２は、第１取付孔４９１に対して、第１取付孔４８１群に対する第２取付孔４８２群のシフト方向と同じ側に配されている。
【００４２】
本実施形態では、図１２に示すように、第１取付孔４８１及び第１取付孔４９１を用いて支持アーム４７２を取り付けることで、アーム本体部７２Ａの上面が単位仕切壁４３１の上面と同じ高さに配される位置（上側取付位置）で支持アーム４７２を固定することができる。また、図１３に示すように、第２取付孔４８２及び第２取付孔４９２を用いて支持アーム４７２を取り付けることで、アーム本体部７２Ａの上面が単位仕切壁４３１の上面より低い位置に配される位置（下側取付位置）で支持アーム４７２を固定することができる。
【００４３】
支持アーム４７２の取付部４７２Ｂは、第１取付孔４８１（又は第２取付孔４８２）及び単位仕切壁４３１に形成された取付孔４３１Ａの双方にビス４７５を挿通することで、単位仕切壁４３１に対して着脱可能に取り付けられる。また、支持ピン３４の先端部３４Ａは、支持アーム４７２の取付部４７２Ｃの第１取付孔４９１（又は第２取付孔４９２）に挿通されている。先端部３４Ａに形成された雄ネジにはナット４９４が螺合されている。これにより、取付部４７２Ｃが支持ピン３４に対して着脱可能に取り付けられている（図１３参照）。なお、図１３では、第２取付孔４９２に先端部３４Ａが挿通されている構成を例示してある。なお、支持アーム４７１についても、支持アーム４７２と同様に第１取付孔４８１、第２取付孔４８２、第２取付孔４８２及び第２取付孔４９２を有しており、上側取付位置と下側取付位置でその取付位置を変更可能となっている。
【００４４】
本実施形態によれば、図１２に示す上側取付位置で支持アーム４７１，４７２を固定することができる。このようにすれば、底面の高さが全面に亘って均一であるトレイ２５を支持アーム４７１，４７２及び単位仕切壁４３１で支持することができる。また、図１３に示す下側取付位置で支持アーム４７１，４７２を固定することができる。このようにすれば、上方に開口された２つの収容部４２５Ａ，４２５Ｂを連結部４２５Ｃで連結してなるトレイ４２５を支持アーム４７１，４７２及び単位仕切壁４３１で支持することができる。
【００４５】
具体的には、トレイ４２５において収容部４２５Ａ，４２５Ｂの底面は、連結部４２５Ｃの底面よりも下方に配されている。これにより、連結部４２５Ｃを単位仕切壁４３１で支持することができ、連結部４２５Ｃよりも低い位置に配される収容部４２５Ａ，４２５Ｂの底面を支持アーム４７１，４７２でそれぞれ支持することができる。なお、本実施形態の単位仕切壁４３１は、その上端部が上方に向かうにつれて先細りする形状をなしており、トレイ４２５に対して下方から嵌合可能となっている。以上のように、本実施形態では、支持アーム４７１，４７２の取付位置を変更することで、形状の異なる２種類のトレイ２５，４２５を適宜使い分けることができる。
【００４６】
また、本実施形態では、図１５に示すように、第１取付孔４８１及び第２取付孔４８２を前後方向において同じ位置に配する構成としてもよく、取付部４７２Ｃにおいて、第１取付孔４９１を備えておらず第２取付孔４９２のみを有する構成としてもよい。なお、本実施形態の支持アームの取付構造を上記各実施形態の支持アームに適用することも可能である。また、上述した各取付孔の個数は適宜変更可能である。
【００４７】
＜他の実施形態＞
本発明は上記記述及び図面によって説明した実施形態に限定されるものではなく、例えば次のような実施形態も本発明の技術的範囲に含まれる。
（１）上記実施形態では、冷温蔵装置として、仕切壁や支持アームが貯蔵室内で固定されている構成の温冷配膳車を例示したが、これに限定されない。例えば、仕切壁及び支持アームが設けられたカートを冷温蔵手段が設けられたステーションに収容する構成の冷温蔵装置を例示することも可能である。
（２）仕切壁３０の段数や配置態様は上記実施形態で例示したものに限定されず適宜変更可能である。また、上記実施形態では、仕切壁３０が複数の単位仕切壁３１から分割構成されているものを例示したが、これに限定されない。例えば、複数の単位仕切壁３１が一体的に形成されていてもよい。
（３）上記実施形態では、貯蔵室１６を２つ備えるものを例示したが、これに限定されない。また、貯蔵室１６内においてトレイ２５を前後方向に一枚のみ設置する構成としてもよい。つまり、一対の支持アームが前後方向の一方側のみに設けられていてもよい。
（４）上記実施形態では、支持アームによって単位仕切壁３１と貯蔵室１６の内面が連結されている構成を例示したが、これに限定されない。支持アームは、少なくとも単位仕切壁３１から延びている構成であればよい。また、上記実施形態の各支持アームは直線状に限定されず曲線状に延びていてもよい。
（５）上記実施形態５では、支持アームに高さが異なる２種類の取付孔（第１取付孔４８１及び第２取付孔４８２など）を形成する構成としたが、これに限定されない。例えば、支持アームが取り付けられる部材（例えば単位仕切壁３１）に高さが異なる取付孔を形成することで、支持アームの取付位置（高さ）を変更可能な構成としてもよい。
（６）上記実施形態１では、貯蔵室１６において前側に配される一対の支持アーム７１，７２が、平面視において前側に開口するＶ字状をなし、後側に配される一対の支持アーム７１，７２が、平面視において後側に開口するＶ字状をなすものと例示したが、これに限定されない。前側に配される一対の支持アーム７１，７２が、平面視において後側に開口するＶ字状をなし、後側に配される一対の支持アーム７１，７２が、平面視において前側に開口するＶ字状をなしていてもよい。また、支持アーム７１，７２が平面視において曲線状をなしていてもよい。
（７）上記実施形態では、支持アームが支持ピン３４を介してパネル２０（又は中間壁１５）に取り付けられる構成を例示したが、これに限定されない。支持アームの取付部７１Ｃや取付部７２Ｃがパネル２０（又は中間壁１５）に対して直接的に取り付けられていてもよい。
（８）上記実施形態では、支持アームがナットによって支持ピンに取り付けられる構成を例示したが、これに限定されない。例えば、図１６の変形例に示すように、ビス４９５を支持アーム４７２の取付部４７２Ｃの取付孔（図１６では第２取付孔４９２を図示）に挿通した後、支持ピン４３４に対してねじ止めする構成としてもよい。
【符号の説明】
【００４８】
１０…温冷配膳車（冷温蔵装置）、１１…断熱箱、１６…貯蔵室、１７…冷蔵室、１８…温蔵室、２５，４２５…トレイ、３０…仕切壁、３１，４３１…単位仕切壁（長手状をなす壁部、下側壁部）、７１，１７１，２７１，３７１，４７１…支持アーム、７２，１７２，２７２，３７２，４７２…支持アーム、Ｓ１…隙間（２つの壁部の間に形成された隙間）
【図１】
2017079928.tif 000003
【図２】
2017079928.tif 000004
【図３】
2017079928.tif 000005
【図４】
2017079928.tif 000006
【図５】
2017079928.tif 000007
【図６】
2017079928.tif 000008
【図７】
2017079928.tif 000009
【図８】
2017079928.tif 000010
【図９】
2017079928.tif 000011
【図１０】
2017079928.tif 000012
【図１１】
2017079928.tif 000013
【図１２】
2017079928.tif 000014
【図１３】
2017079928.tif 000015
【図１４】
2017079928.tif 000016
【図１５】
2017079928.tif 000017
【図１６】
2017079928.tif 000018